(57)【要約】【課題】見本表示ラベルをダミー本体に簡単に取り付けることができるタバコ見本を提供する。【解決手段】タバコ見本１は、ダミー本体２と、そのダミー本体２に取り付けられる湾曲あるいは屈曲可能な見本表示ラベル３とからなる。ダミー本体２は、左右の側壁２ａ、２ａと上壁２ｂと底壁２ｃとからなる周壁Ｗを備えて、前方および後方に開放している。一方、見本表示ラベル３は、ダミー本体２の内側に配置される。そして、見本表示ラベル３は、タバコ見本１の前面を形成する前部３ａと、その前部３ａから延設されるとともに、ダミー本体２における周壁Ｗの内面に当接する延設部Ｘとを備える。ここで、ダミー本体２は、周壁Ｗの前端部から延設されて、見本表示ラベル３の前部３ａの前面側を支え止める受け部２ｄを備える。【選択図】　図１
2004093952.tif 000002
【特許請求の範囲】
【請求項１】
タバコが収容される箱を模したタバコ見本であって、
ダミー本体と、そのダミー本体に取り付けられる湾曲あるいは屈曲可能な見本表示ラベルとを有し、
前記ダミー本体は、左右の側壁と上壁と底壁とからなる周壁を備えて、前方および後方に開放しており、
前記見本表示ラベルは、前記ダミー本体の内側に配置されて、前記タバコ見本の前面を形成する前部と、その前部から延設されるとともに、前記周壁の内面に当接する延設部とを備え、
前記ダミー本体は、前記周壁の前端部から延設されて、前記前部の前面側を支え止める受け部を備えることを特徴とするタバコ見本
【請求項２】
前記受け部は、前記ダミー本体の上部部分および下部部分に設けられていることを特徴とする請求項１に記載のタバコ見本。
【請求項３】
前記受け部は、前記ダミー本体の上部部分における左右のコーナー部、および、前記ダミー本体の下部部分における左右のコーナー部に設けられていることを特徴とする請求項２に記載のタバコ見本。
【請求項４】
前記周壁の後端部には、前記延設部の先端部を係止する係止部が設けられていることを特徴とする、請求項１ないし３のいずれか１項に記載のタバコ見本。
【請求項５】
前記見本表示ラベルには、その見本表示ラベルを前記ダミー本体から取り外すために、前記延設部の延設された先端からさらに延設された摘み片が設けられていることを特徴とする請求項１ないし４のいずれか１項に記載のタバコ見本。
【請求項６】
前記ダミー本体は、透明体からなることを特徴とする請求項１ないし５のいずれか１項に記載のタバコ見本。
【発明の詳細な説明】
【０００１】
【発明の属する技術分野】
この発明は、タバコが収容される箱を模したタバコ見本に関するものである。
【０００２】
【従来の技術】
従来、タバコが収容される箱を模したタバコ見本として、例えば、特開２００１−８３８８１号公報に示されるものがあった。図６に示されるように、このタバコ見本１１は、屈曲可能な見本表示ラベル１２が、ダミー本体となるホルダー１３に巻き付けられていた。そして、見本表示ラベル１２は、後端部分が、ホルダー１３と、そのホルダー１３に後方から組み付けられる固定部材１４とに挟まれるようにして固定されていた。
【０００３】
【発明が解決しようとする課題】
ところで、前記従来のタバコ見本１１においては、見本表示ラベル１２をホルダー１３に取り付けるにあたって、別途、固定部材１４を用いなければならず、その取付が面倒であった。
【０００４】
この発明は、上記した従来の欠点を解決するためになされたものであり、その目的とするところは、見本表示ラベルをダミー本体に簡単に取り付けることができるタバコ見本を提供することにある。
【０００５】
また、他の目的は、ダミー本体に取り付けられた見本表示ラベルの形状を容易に維持することができるタバコ見本を提供することにある。
【０００６】
【課題を解決するための手段】
この発明に係るタバコ見本は、前記目的を達成するために、次の構成からなる。すなわち、
請求項１に記載の発明に係るタバコ見本は、タバコが収容される箱を模したタバコ見本であって、ダミー本体と、そのダミー本体に取り付けられる湾曲あるいは屈曲可能な見本表示ラベルとを有する。ここで、前記ダミー本体は、左右の側壁と上壁と底壁とからなる周壁を備えて、前方および後方に開放している。一方、前記見本表示ラベルは、前記ダミー本体の内側に配置される。そして、前記見本表示ラベルは、前記タバコ見本の前面を形成する前部と、その前部から延設されるとともに、前記周壁の内面に当接する延設部とを備える。そして、前記ダミー本体は、前記周壁の前端部から延設されて、前記前部の前面側を支え止める受け部を備える。
【０００７】
こうして、見本表示ラベルは、ダミー本体の内側に配置されて、その見本表示ラベルの前部が、タバコ見本の前面を形成する。そして、見本表示ラベルは、その前部の前面側が、ダミー本体の受け部によって支え止められ、前部から延設された延設部が、ダミー本体の周壁の内面に当接することで、この見本表示ラベルの前部および延設部の形状が維持される。そして、ダミー本体は、後方が開放しており、その後方から見本表示ラベルを挿入するようにして取り付けることができる。もっとも、ダミー本体は、前方にも開放しているため、場合によっては、その前方から見本表示ラベルを挿入するようにして取り付けることも可能である。また、このように、ダミー本体は、前方に開放しているため、見本表示ラベルがダミー本体の内側に配置されるにも拘わらず、見本表示ラベルの前部を、ダミー本体に遮られることなく視認することができる。さらに、このタバコ見本を、その内側から照明した場合には、その内側の照明光が、見本表示ラベルの前部を直接照らすこととなり、その照明を効果的に行なうことができる。
【０００８】
また、請求項２に記載の発明に係るタバコ見本のように、請求項１に記載のタバコ見本において、前記受け部は、前記ダミー本体の上部部分および下部部分に設けられてもよい。こうして、見本表示ラベルの前部の前面側を支え止める受け部が、ダミー本体の上部部分および下部部分に設けられることから、その見本表示ラベルの前部の視認性が、それほど損なわれない。
【０００９】
また、請求項３に記載の発明に係るタバコ見本のように、請求項２に記載のタバコ見本において、前記受け部は、前記ダミー本体の上部部分における左右のコーナー部、および、前記ダミー本体の下部部分における左右のコーナー部に設けられてもよい。このように、受け部が、ダミー本体の上部部分および下部部分における、左右のコーナー部に設けられることから、見本表示ラベルの前部の視認性は、一層損なわれない。
【００１０】
また、請求項４に記載の発明に係るタバコ見本のように、請求項１ないし３のいずれか１項に記載のタバコ見本において、前記周壁の後端部には、前記延設部の先端部を係止する係止部が設けられるのが望ましい。こうして、見本表示ラベルにおける延設部の先端部が、ダミー本体の周壁の後端部に設けられた係止部によって係止されることから、この見本表示ラベルは、ダミー本体の内側の所定の位置に確実に保持される。そして、このことから、見本表示ラベルの前部は、ダミー本体の受け部に充分に当接することができ、その見本表示ラベルの前部の形状は、確実に維持される。
【００１１】
また、請求項５に記載の発明に係るタバコ見本のように、請求項１ないし４のいずれか１項に記載のタバコ見本において、前記見本表示ラベルには、その見本表示ラベルを前記ダミー本体から取り外すために、前記延設部の延設された先端からさらに延設された摘み片が設けられてもよい。これにより、見本表示ラベルに設けられた摘み片を指で摘んで引っ張ることで、この見本表示ラベルは、ダミー本体から取り外される。
【００１２】
また、請求項６に記載の発明に係るタバコ見本のように、請求項１ないし５のいずれか１項に記載のタバコ見本において、前記ダミー本体は、透明体からなってもよい。これにより、見本表示ラベルの延設部が、ダミー本体の周壁を通して視認される。そして、このタバコ見本を、その内側から照明する場合には、照明光を、例えばダミー本体の下方から、底壁を通して、内側に導くことが可能となる。
【００１３】
【発明の実施の形態】
以下、この発明に係るタバコ見本の実施の形態を図面に基づいて説明する。
【００１４】
図１ないし図４は、本発明に係るタバコ見本の一実施の形態を示す。図中符号１は、タバコが収容される箱を模したタバコ見本であって、例えば、自動販売機内に陳列されるものである。このタバコ見本１は、例えば略直方体形状をしており、ダミー本体２と、そのダミー本体２に取り付けられる湾曲あるいは屈曲可能な見本表示ラベル３とから構成されている。
【００１５】
ここで、ダミー本体２は、例えば、透明体からなる。詳細には、ダミー本体２は、アクリル樹脂あるいはポリカーボネート樹脂等の透明な合成樹脂材料等からなる。そして、ダミー本体２は、図３に示すように、左右の側壁２ａ、２ａと上壁２ｂと底壁２ｃとからなる周壁Ｗを備えて、前方および後方に開放した、枠形状をしている。また、ダミー本体２は、周壁Ｗの前端部から延設されて、見本表示ラベル３における後述する前部３ａの前面側を支え止める受け部２ｄ、２ｄを備えている。詳細には、この受け部２ｄは、ダミー本体２の上部部分および下部部分に設けられている。より詳細には、この受け部２ｄは、ダミー本体２の上部部分における左右のコーナー部、および、ダミー本体２の下部部分における左右のコーナー部に設けられている。そして、各側壁２ａは、その前方側が、受け部２ｄに繋がる上下の連設部２ｅ、２ｅを残して切り欠かれている。
【００１６】
また、ダミー本体２には、周壁Ｗの後端部に、見本表示ラベル３における後述する延設部Ｘの先端部を係止する係止部２ｆ、２ｆが設けられている。詳細には、この係止部２ｆは、左右の側壁２ａ、２ａ、上壁２ｂ、そして底壁２ｃのそれぞれに設けられている。そして、これら係止部２ｆ、２ｆは、各壁２ａ、２ｂ、２ｃにおいて、周壁Ｗの周方向に沿って延びるように形成されている。なお、図示実施の形態にあっては、前記係止部２ｆ、２ｆは、図２に明示するように、ダミー本体２の前方側寄りほどダミー本体２の内側方向に進む、勾配Ｍが設けられているため、見本表示ラベル３をダミー本体２の後方から挿入し易くなっている。
【００１７】
見本表示ラベル３は、例えば、ポリエステルフイルム等の透明な樹脂フイルム等からなり、図４に示すように、外面もしくは内面に、タバコが収容される箱と同様の文字や模様等が印刷されている。そして、見本表示ラベル３は、ダミー本体２の内側に配置される。この見本表示ラベル３は、タバコ見本１の前面を形成する前部３ａと、その前部３ａから延設されるとともに、ダミー本体２の周壁Ｗの内面に面するようにして当接する延設部Ｘとを備えている。詳細には、見本表示ラベル３の延設部Ｘは、前部３ａの左右の各端から延設されて、ダミー本体２の左右の側壁２ａ、２ａに面するようにして当接する側部３ｂ、３ｂと、前部３ａの上端から延設されて、ダミー本体２の上壁２ｂに面するようにして当接する上部３ｃと、前部３ａの下端から延設されて、ダミー本体２の底壁２ｃに面するようにして当接する底部３ｄとからなる。そして、前部３ａだけでなく、左右の側部３ｂ、３ｂおよび上部３ｃにも、タバコが収容される箱と同様の文字や模様等が印刷される。
【００１８】
また、見本表示ラベル３には、その見本表示ラベル３をダミー本体２から取り外すために、延設部Ｘの延設された先端からさらに延設された摘み片３ｅ、３ｅが設けられている。図示実施の形態においては、この摘み片３ｅは、延設部Ｘにおける、左右の側部３ｂ、３ｂ、上部３ｃおよび底部３ｄのそれぞれから、小片状に延設されている。
【００１９】
次に、以上の構成からなるタバコ見本１の作用効果について説明する。このタバコ見本１によると、見本表示ラベル３は、ダミー本体２の内側に配置されて、その見本表示ラベル３の前部３ａが、タバコ見本１の前面を形成している。そして、見本表示ラベル３は、その前部３ａの前面側が、ダミー本体２の受け部２ｄ、２ｄによって支え止められ、前部３ａから延設された延設部Ｘ（詳細には、側部３ｂ、３ｂ、上部３ｃおよび底部３ｄ）が、ダミー本体２の周壁Ｗ（詳細には、側壁２ａ、２ａ、上壁２ｂおよび底壁２ｃ）の内面に面するようにして当接することで、前部３ａおよび延設部Ｘの形状、すなわち見本表示ラベル３の形状が容易に維持される。しかも、ダミー本体２の受け部２ｄは、ダミー本体２の上部部分および下部部分に設けられることから、見本表示ラベル３の前部３ａの視認性が、それほど損なわれない。その上、受け部２ｄは、特に、ダミー本体２の上部部分および下部部分における左右のコーナー部に設けられることから、見本表示ラベル３の前部３ａの視認性は、一層損なわれない。
【００２０】
また、見本表示ラベル３における延設部Ｘ（詳細には、側部３ｂ、３ｂ、上部３ｃおよび底部３ｄ）の先端部が、ダミー本体２の周壁Ｗ（詳細には、側壁２ａ、２ａ、上壁２ｂおよび底壁２ｃ）の後端部に設けられた係止部２ｆ、２ｆによって係止されることから、この見本表示ラベル３は、ダミー本体２の内側の所定の位置に確実に保持される。そして、このことから、見本表示ラベル３の前部３ａは、ダミー本体２の受け部２ｄ、２ｄに充分に当接することができ、その見本表示ラベル３の前部３ａの形状を、確実に維持することができる。
【００２１】
また、ダミー本体２は、後方が開放しており、その後方から見本表示ラベル３を挿入するようにして取り付けることができる。もっとも、ダミー本体２は、前方にも開放しているため、場合によっては、その前方から見本表示ラベル３を挿入するようにして取り付けることも可能となっている。このように、見本表示ラベル３を、ダミー本体２の後方あるいは前方から挿入することで、ダミー本体２に簡単に取り付けることができる。そして、見本表示ラベル３をダミー本体２から取り外す場合には、見本表示ラベル３に設けられた摘み片３ｅを指で摘んで引っ張ることで、この見本表示ラベル３を、ダミー本体２から簡単に取り外すことができる。もっとも、摘み片３ｅを用いることなく、見本表示ラベル３を、後方あるいは前方に押し出すようにして、ダミー本体２から取り外してもよい。
【００２２】
また、ダミー本体２が透明体からなることから、見本表示ラベル３の延設部Ｘ（特に、左右の側部３ｂ、３ｂおよび上部３ｃ）を、ダミー本体２の周壁Ｗを通して視認することができる。そして、このタバコ見本１を、その内側から照明する場合には、照明光を、例えばタバコ見本１の下方から、ダミー本体２の底壁２ｃおよび見本表示ラベル３の底部３ｄを通して、内側に導くことができる。
【００２３】
また、ダミー本体２は、前方に開放していることから、見本表示ラベル３がダミー本体２の内側に配置されるにも拘わらず、見本表示ラベル３の前部３ａを、ダミー本体２に遮られることなく視認することができる。さらに、例えば、タバコ見本１の下方から照明光を内側に取り入れて、このタバコ見本１を、その内側から照明した場合には、その内側の照明光が、見本表示ラベル３の前部３ａを直接照らすこととなり、その照明を効果的に行なうことができる。
【００２４】
なお、本発明は、上述した実施の形態に限定されるわけではなく、その他種々の変更が可能である。例えば、タバコ見本１は、自動販売機内に陳列されるものでなくとも、ショーケース等に陳列されるものであってもよい。
【００２５】
また、タバコ見本１の前面の左右の端部部分は、角張っているが、図５に示すように、アール形状となっていてもよい。そして、この図５の例においては、受け部２ｄは、ダミー本体２の上部部分および下部部分における左右方向の全体に設けられている。もっとも、受け部２ｄは、ダミー本体２の上部部分および下部部分に設けられなくとも、例えば、ダミー本体２の左右の各部に設けられてもよい。
【００２６】
また、係止部２ｆは、ダミー本体２における、左右の側壁２ａ、２ａ、上壁２ｂ、そして底壁２ｃのそれぞれに設けられているが、例えば、左右の側壁２ａ、２ａのみ、上壁２ｂおよび底壁２ｃのみ、あるいは、左右の側壁２ａ、２ａと上壁２ｂというように、いずれの壁に設けられてもよい。また、この係止部２ｆは、見本表示ラベル３における延設部Ｘの先端部を係止するものであるが、例えば、延設部Ｘの中間部に、孔あるいは切り込み等を設け、その孔あるいは切込み等を、ダミー本体２に新たに設けた突部等により係止するようにしてもよい。また、見本表示ラベル３をダミー本体２内に保持できるのであれば、前記係止部２ｆ等は、必ずしも設ける必要はない。
【００２７】
また、ダミー本体２は、透明体からならなくとも、色彩を帯びた光透過体であってもよく、また、不透明体であってもよい。
【００２８】
また、見本表示ラベル３は、延設部Ｘが、左右の側部３ｂ、３ｂと上部３ｃと底部３ｄとからなっているが、例えば、底部３ｄを無しにしたり、上部３ｃを無しにしたりしてもよく、また、側部３ｂ、３ｂを無しにしてもよい。そして、摘み片３ｅにおいても、左右の側部３ｂ、３ｂ、上部３ｃおよび底部３ｄのそれぞれに設けられなくとも、それらのいずれかに設けられてもよい。また、この摘み片３ｅは、無くともよい。
【００２９】
【発明の効果】
以上、詳述したところから明らかなように、この発明に係るタバコ見本によれば、次の効果がある。
【００３０】
請求項１に記載されたタバコ見本によれば、見本表示ラベルを、ダミー本体の後方あるいは前方から挿入することで、ダミー本体に簡単に取り付けることができる。そして、ダミー本体に取り付けられた見本表示ラベルは、その前部の前面側が、ダミー本体の受け部によって支え止められ、延設部が、ダミー本体の周壁の内面に当接するので、この見本表示ラベルの形状を容易に維持することができる。
【００３１】
また、請求項２に記載されたタバコ見本によれば、加えて、見本表示ラベルの前部の前面側を支え止める受け部が、ダミー本体の上部部分および下部部分に設けられているので、その見本表示ラベルの前部の視認性は、それほど損なわれない。
【００３２】
また、請求項３に記載されたタバコ見本によれば、加えて、受け部が、ダミー本体の上部部分および下部部分における、左右のコーナー部に設けられているので、見本表示ラベルの前部の視認性は、一層損なわれない。
【００３３】
また、請求項４に記載されたタバコ見本によれば、加えて、ダミー本体の周壁の後端部に設けられた係止部によって、見本表示ラベルの前部は、ダミー本体の受け部に充分に当接することができるので、その見本表示ラベルの前部の形状を、確実に維持することができる。
【００３４】
また、請求項５に記載されたタバコ見本によれば、加えて、見本表示ラベルをダミー本体から取り外す場合には、摘み片を指で摘んで引っ張ることで、この見本表示ラベルを、ダミー本体から簡単に取り外すことができる。
【００３５】
また、請求項６に記載されたタバコ見本によれば、加えて、ダミー本体が透明体からなることから、見本表示ラベルの延設部を、ダミー本体の周壁を通して視認することができる。
【図面の簡単な説明】
【図１】この発明に係るタバコ見本の一実施の形態の、斜視図である。
【図２】同じく、横断面図である。
【図３】同じく、ダミー本体の斜視図である。
【図４】同じく、見本表示ラベルの展開正面図である。
【図５】この発明に係るタバコ見本の他の実施の形態の、斜視図である。
【図６】従来のタバコ見本を示す横断面図である。
【符号の説明】
１　タバコ見本　　　　　　　　　　２　ダミー本体
２ａ　側壁　　　　　　　　　　　　２ｂ　上壁
２ｃ　底壁　　　　　　　　　　　　２ｄ　受け部
２ｆ　係止部　　　　　　　　　　　３　見本表示ラベル
３ａ　前部　　　　　　　　　　　　３ｅ　摘み片
Ｗ　周壁　　　　　　　　　　　　　Ｘ　延設部
【図１】
2004093952.tif 000003
【図２】
2004093952.tif 000004
【図３】
2004093952.tif 000005
【図４】
2004093952.tif 000006
【図５】
2004093952.tif 000007
【図６】
2004093952.tif 000008